(57)【特許請求の範囲】
【請求項１】
浴槽の浴水を入水し、所定の浄化処理を施した後、再び該浴水を浴槽に出水する浴水浄化装置において、
該浴水に殺菌又は滅菌あるいは除菌などの目的のために薬剤を注入するための薬剤注入装置と、
該薬剤の濃度を測定する濃度測定装置と、
前記濃度測定装置により測定された薬剤の濃度が所定値以上の場合、その旨の告知を行う告知装置と、
該濃度測定装置により測定された薬剤の濃度が所定値以上の場合、前記薬剤注入装置の運転を停止させるように制御し、この制御によっても薬剤注入装置の運転が停止しない場合には薬剤注入装置の電源を切断する制御装置と、
前記制御装置による薬剤注入装置の運転停止制御後も、運転が停止しない場合、浄化装置の全体の運転を停止させる停止装置と、
を備えたことを特徴とする浴水浄化装置。
【請求項２】
前記制御装置による薬剤注入装置の電源の切断の際に、及び／又は前記浄化装置全体の運転を停止させる際に、その旨の告知を行う告知装置を更に備えた、
請求項１に記載の浴水浄化装置。
【請求項３】
前記薬剤注入装置が塩素を含む薬剤を注入する、
請求項１又は２に記載の浴水浄化装置。
【発明の詳細な説明】
【０００１】
【発明の属する技術分野】
この発明は、浴水浄化装置に関する。
【０００２】
【従来の技術】
浴槽水の浴水を入水して所定の浄化処理を加えた後に浴槽に出水し、この行程を繰り返すことにより浴水を循環浄化する浴水浄化装置が知られている。
該浴水浄化装置において、浄化はろ過装置によるものの他、主として業務用の浴水浄化装置においてはオゾン殺菌や殺菌灯等による殺菌或いは塩素などの薬剤による殺菌が行われる。
塩素などの薬剤による殺菌は、従来は注入器などを用いて人手により行われており、使用者が注入量、注入時間を適宜管理していた。
【０００３】
【発明が解決しようとする課題】
しかし、人手による薬剤の注入は、注入器の故障や管理の懈怠などにより過剰な濃度の薬剤を注入してしまうなどの危険があり、この点の解決が従来より求められていた。
本発明は上記従来技術の問題を解決することを目的とする。
【０００４】
【課題を解決するための手段】
上記目的を達成するために、本発明は、浴槽の浴水を入水し、所定の浄化処理を施した後、再び該浴水を浴槽に出水する浴水浄化装置において、該浴水に殺菌又は滅菌あるいは除菌などの目的のために薬剤を注入するための薬剤注入装置と、該薬剤の濃度を測定する濃度測定装置と、前記濃度測定装置により測定された薬剤の濃度が所定値以上の場合、その旨の告知を行う告知装置と、該濃度測定装置により測定された薬剤の濃度が所定値以上の場合、前記薬剤注入装置の運転を停止させるように制御し、この制御によっても薬剤注入装置の運転が停止しない場合には薬剤注入装置の電源を切断する制御装置と、前記制御装置による薬剤注入装置の運転停止制御後も、運転が停止しない場合、浄化装置の全体の運転を停止させる停止装置と、を備えたことを特徴とする。
以上の構成により薬剤濃度が所定値以上になった場合、最初に告知装置によりその旨の告知がなされ、使用者に注意が喚起され、次に注入装置の運転を停止するように制御される。この制御によっても薬剤注入装置が運転停止しない場合には、薬剤注入装置の電源を切断する。更にこの制御によっても薬剤注入装置の運転が停止しない場合には、浄化装置自体の全体の運転を停止する。これにより薬剤濃度が高くなることによる人体に及ぼす悪影響などを防止することが可能になる。
なお薬剤注入装置の電源を切断する際、更には浄化装置全体の運転を停止させる際、その旨の告知を行う告知装置を更に備えることが望ましい。該告知により使用者は更に危険を知ることが可能である。告知の方法としては表示、音声などの態様が可能である。
なお、前記薬剤注入装置が注入する薬剤としては、塩素或いは塩素を含む薬剤がもっとも一般的であるが、他のどのような薬剤も本装置に使用可能である。
【０００５】
【発明の実施の形態】
以下本発明の実施の形態を図面に基づいて説明する。
図１において、循環ポンプ２０の稼働により浴槽Ｔの浴水は吸込口２４から浴水浄化装置Ｙに入水し、ヘアキャッチャー２３を通り、湯温センサ２８を経由して循環ポンプ２０を通って、更に切替バルブＢ２７を経由し、ろ過タンク２１においてろ過される。そして、ヒータ２２により所定温度まで加温され切替バルブＡ２６を通って吐出口２５から浴槽Ｔに出水され、この循環を繰り返して浄化されるように構成されている。
【０００６】
切替バルブＡ２６から吐出口２５の間に塩素注入器１が設けられており、塩素流量計２と逆止弁５０を介して配管４０に接続している。
またヘアキャッチャー２３と循環ポンプ２０の間の配管４１には塩素濃度測定器３が設けられている。
なお、５１と５２は逆止弁である。
【０００７】
図２にこの実施形態の制御装置の構成を示す。制御装置３０はマイクロコンピュータを主体に構成されており、浴水浄化装置Ｙ全体の制御を行っている。該制御装置３０には表示部３１と操作部３２が設けられており、操作部３２からユーザなどが種々の指令を入力する。表示部３１は様々な表示を行うものであって、後述する告知などを表示部３１において行うようになっている。
【０００８】
制御装置３０は循環ポンプ２０の運転制御、切替バルブＡ２６と切替バルブＢ２７の開閉制御およびヒータ２２の加温制御を行うようになっている。また湯温センサ２８からの湯温情報を入力するように構成されている。
【０００９】
制御装置３０には塩素注入器ＯＮ／ＯＦＦ制御回路１０が接続し、この塩素注入器ＯＮ／ＯＦＦ制御回路１０により塩素注入器１のオンオフを行うようになっている。また、塩素注入器電源制御回路１１が制御装置３０には接続され、塩素注入器１の電源のオンオフを制御できるようになっている。
【００１０】
制御装置３０には前記塩素濃度測定器３からの塩素濃度情報が入力し、また塩素流量計２からの流量情報が入力するように構成されている。
【００１１】
図３と図４により動作を説明する。
使用者が操作部３２を操作するか或いはタイマ等の時間経時により制御装置３０が塩素注入器ＯＮ／ＯＦＦ制御回路１０に塩素注入指令を送ると、塩素注入器１から塩素の注入が開始され、塩素が塩素流量計２と逆止弁５０を介して配管４０に送られ、更に吐出口２５から浴槽Ｔ内に吐出する。そして、吸込口２４から吸引されてヘアキャッチャー２３を経由して塩素濃度測定器３においてその塩素濃度が検出される。制御装置３０は塩素濃度測定器３からの情報により塩素濃度が規定値以内か否か判断する（ステップＳ１）。
【００１２】
規定値以下の場合には、表示部３１に塩素濃度が低い旨の警告を表示する（ステップＳ２）。そして、塩素濃度が規定値内に上昇したら（ステップＳ３）、警告を解除する（ステップＳ４）。
【００１３】
ステップＳ１で塩素濃度が規定値以上の場合には、表示部３１に入浴禁止の警告を表示し（ステップＳ５）、塩素注入器電源制御回路１１に指令を送って塩素注入器１の運転停止制御を実行する（ステップＳ６）。そして、塩素濃度が規定値以内になったら（ステップＳ７）、入浴禁止の警告を解除し（ステップＳ８）、塩素注入を再開する（ステップＳ９）。
【００１４】
図４によりステップＳ６の塩素注入器停止中の動作を説明する。
塩素注入器１を停止した後（ステップＳ２０）、塩素注入器１のオフを確認する。この例では塩素注入器１の制御リレーのオフを確認する（ステップＳ２１）。制御リレーがオフであればステップＳ２４に飛ぶ。制御リレーがオフでない場合には、塩素注入器電源制御回路１１により塩素注入器１の電源を遮断し（ステップＳ２２）、同時に制御系統の異常を表示部３１に表示する（ステップＳ２３）。
【００１５】
そして、更に塩素流量計２からの情報に基づいて、実際に塩素注入が停止したか否か判定し（ステップＳ２４）、停止していない場合には浴水浄化装置Ｙの運転自体を停止する（ステップＳ２５）。同時に塩素注入器１の異常を表示部３１に表示する。
【００１６】
上記実施形態では、塩素濃度が規定値以上の場合、最初に塩素注入器１における塩素の注入を停止するように制御し、この制御により塩素注入器１が実際に停止しなかった場合には、塩素注入器１の電源を遮断し、更に該電源の遮断によっても塩素の注入が停止しない場合には浴水浄化装置Ｙ自体の運転を停止する、という構成になっているため、塩素濃度が規定値以上になった場合、それ以上の上昇を確実に防止することが可能である。また、各段階で表示部３１に警告を表示するようにしているため、規定値以上の塩素濃度の浴水に人が入力する等の事故を未然に防ぐことが可能になる。
更に、塩素濃度が規定値より低い場合には、規定値に達するまで自動的に塩素注入を行う等の効果がある。
【００１７】
【発明の効果】
以上説明したように本発明の浴水浄化装置によれば、適正な薬剤注入を行うことができ、規定値を大きく越える薬剤濃度になる等の危険を防止できる効果がある。
【図面の簡単な説明】
【図１】本発明の一実施形態を示す概略図。
【図２】本発明の一実施形態の制御装置を示すブロック図。
【図３】本発明の一実施形態の動作を示すフローチャート図。
【図４】本発明の一実施形態の動作を示すフローチャート図。
【符号の説明】
１：塩素注入器、２：塩素流量計、３：塩素濃度測定器、１０：塩素注入器ＯＮ／ＯＦＦ制御回路、１１：塩素注入器電源制御回路、２０：循環ポンプ、２１：ろ過タンク、２２：ヒータ、２３：ヘアキャッチャー、２４：吸込口、２５：吐出口、２６：切替バルブＡ、２７：切替バルブＢ、２８：湯温センサ、３０：制御装置、３１：表示部、３２：操作部、４０：配管、４１：配管、５０：逆止弁、５１：逆止弁、５２：逆止弁。
【図１】
0004332268.tif 000002
【図２】
0004332268.tif 000003
【図３】
0004332268.tif 000004
【図４】
0004332268.tif 000005